(57)【要約】【課題】苗植付装置の苗のせ台構造において、苗ステーの上部が保持部から外れ難いように構成する。【解決手段】保持部２７に開口部２７ｅと凹部２７ｂとを備えて、苗ステーの上部２８ａを保持部２７の開口部２７ｅに挿入して凹部２７ｂに挿入することにより、保持部２７の凹部２７ｂに苗ステーの上部２８ａが保持されるように構成する。苗ステーの上部２８ａを保持部２７の開口部２７ｅに挿抜する方向Ａ１と苗ステーの上部２８ａを保持部２７の凹部２７ｂに挿抜する方向Ａ２とが交差するように設定する。【選択図】        図４
2004275030.tif 000002
【特許請求の範囲】
【請求項１】
苗のせ台の苗のせ面に沿って苗ステーを上下方向に配置し、前記苗のせ台の上部に備えられた保持部に、前記苗ステーの上部を保持させて、前記苗のせ台に載置された苗の浮き上がりを苗ステーによって止めるように構成すると共に、
前記保持部に開口部と開口部に連なる凹部とを備えて、前記苗ステーの上部を保持部の開口部に挿入して凹部に挿入することにより、前記保持部の凹部に苗ステーの上部を保持可能に構成し、
前記苗ステーの上部を保持部の開口部に挿抜する方向と、前記苗ステーの上部を保持部の凹部に挿抜する方向とが交差するように設定してある苗植付装置の苗のせ台構造。
【請求項２】
前記保持部の凹部に弾性を備えて、前記保持部の凹部による挟み込みにより、前記苗ステーの上部が保持されるように構成してある請求項１に記載の苗植付装置の苗のせ台構造。
【請求項３】
前記保持部の開口部を苗のせ台の苗のせ面から上方に向くように構成して、前記苗ステーの上部を保持部の開口部に挿抜する方向を、前記苗のせ台の苗のせ面と交差する方向に設定すると共に、
前記苗ステーの上部を保持部の凹部に挿抜する方向を、前記苗のせ台の苗のせ面に沿った方向に設定してある請求項１又は２に記載の苗植付装置の苗のせ台構造。
【請求項４】
苗のせ台の苗のせ面に沿った方向に沿う縦長の凸部を、前記苗のせ台の苗のせ面に複数備えて、
前記苗のせ台の苗のせ面の上端に補助苗のせ台を備え、前記補助苗のせ台の苗のせ面に沿った方向に沿う縦長の凸部を、前記補助苗のせ台の苗のせ面に複数備えて、
苗が前記補助苗のせ台の凸部及び苗のせ台の凸部に載って、前記苗のせ台の下方に移動するように構成すると共に、
前記補助苗のせ台の凸部における前記補助苗のせ台の苗のせ面に沿った方向の下端部が、前記苗のせ台の凸部における前記苗のせ台の苗のせ面に沿った方向の上端部よりも高い位置に位置するように構成してある苗植付装置の苗のせ台構造。
【請求項５】
前記苗のせ台の複数の凸部において、前記苗のせ台の凸部における前記苗のせ台の苗のせ面に沿った方向の上端部の位置を、前記苗のせ台の苗のせ面に沿った方向で異なるものに設定してある請求項４に記載の苗植付装置の苗のせ台構造。
【発明の詳細な説明】
【０００１】
【発明の属する技術分野】
本発明は、乗用型田植機や歩行型田植機における苗植付装置の苗のせ台の構造に関する。
【０００２】
【従来の技術】
苗のせ台においては例えば特許文献１及び２に開示されているように、苗のせ台の苗のせ面に沿って苗ステー（特許文献１の図２及び図３中の１３５、特許文献２の図２，７，８中の２２）を上下方向に配置し、苗のせ台の上部に備えられた保持部（特許文献１の図２及び図３中の１３６）に、苗ステーの上部を保持させて、苗のせ台に載置された苗の浮き上がりを苗ステーによって止めるように構成したものがある。特許文献１及び２の構造によると、苗ステーの上部を保持部に簡単に着脱できるように、苗ステーの上部を保持部に嵌め込むように構成している。
【０００３】
苗のせ台においては例えば特許文献３に開示されているように、苗のせ台（特許文献３の図３，４，６，２２中の８）の苗のせ面の上端に、補助苗のせ台（特許文献３の図３，４，６，２２中の９０）を備えて、苗のせ台の苗のせ面の長さを長いものに構成し、多数の苗を載置できるように構成したものがある。
この場合、苗のせ台においては例えば特許文献４に開示されているように、苗のせ台の苗のせ面に沿った方向に沿う縦長の凸部（特許文献４の図３及び図４中の１１ｄ）を、苗のせ台の苗のせ面に複数備え、苗と苗のせ台の苗のせ面との間の摩擦を少なくして、苗が苗のせ台の凸部に載って苗のせ台の下方に支障なく移動するように構成したものがある。
【０００４】
【特許文献１】
特開２０００−３１２５０７号公報（図２及び図３）
【特許文献２】
特開平１０−３３０３３号公報（図２，７，８）
【特許文献３】
特開２００２−９５３１７号公報（図３，４，６，２２）
【特許文献４】
特開２０００−２６２１２０号公報（図３及び図４）
【０００５】
【発明が解決しようとする課題】
特許文献１及び２の構造によると、苗ステーの上部を保持部に嵌め込む場合、苗ステーの上部を苗のせ台の苗のせ面に沿って上方に移動させることにより、苗ステーの上部を保持部に嵌め込むように構成されており、苗ステーの上部を苗のせ台の苗のせ面に沿って下方に移動させることにより、苗ステーの上部を保持部から外すように構成されている。これにより、苗ステーの上部が保持部から外れ難いように構成すると言う面で改善の余地がある。
本発明（請求項１〜３）は苗植付装置の苗のせ台構造において、苗ステーの上部が保持部から外れ難いように構成することを目的としている。
【０００６】
特許文献３の構造のように、苗のせ台の苗のせ面の上端に補助苗のせ台を備えた場合、補助苗のせ台に載置された苗が苗のせ台に支障なく移動するように構成する必要がある。
本発明（請求項４及び５）は苗植付装置の苗のせ台構造において、補助苗のせ台に載置された苗が苗のせ台に支障なく移動するように構成することを目的としている。
【０００７】
【課題を解決するための手段】
［Ｉ］
請求項１の特徴によると、苗のせ台の苗のせ面に沿って苗ステーを上下方向に配置し、苗のせ台の上部に備えられた保持部に苗ステーの上部を保持させて、苗のせ台に載置された苗の浮き上がりを苗ステーによって止めるように構成した場合に、保持部に開口部と開口部に連なる凹部とを備えて、苗ステーの上部を保持部の開口部に挿入して凹部に挿入することにより、保持部の凹部に苗ステーの上部を保持可能に構成しており、苗ステーの上部を保持部の開口部に挿抜する方向と、苗ステーの上部を保持部の凹部に挿抜する方向とが交差するように設定している。
【０００８】
これにより、請求項１の特徴によると、苗ステーの上部を保持部の凹部に保持させる場合、苗ステーの上部を保持部の開口部に挿入し、次に苗ステーの上部を保持部の開口部に挿入する方向と交差する方向に移動させて、苗ステーの上部を保持部の凹部に挿入することになる。逆に苗ステーの上部を保持部の凹部から外す場合、苗ステーの上部を保持部の凹部から抜き出し、次に苗ステーの上部を保持部の凹部から抜き出す方向と交差する方向に移動させて、苗ステーの上部を保持部の開口部から抜き出す。
【０００９】
以上のように、請求項１の特徴によると、苗ステーの上部が保持部の凹部から抜き出たとしても、次に苗ステーの上部が保持部の凹部から抜き出た方向と交差する方向に移動しないと、苗ステーの上部は保持部の開口部から抜き出ることができない。これについて言い換えると、苗ステーの上部が保持部の凹部から抜き出たとしても、苗ステーの上部が保持部の凹部から抜き出ただけでは、苗ステーの上部が保持部から外れるようなことは少ない。
【００１０】
［ＩＩ］
請求項２の特徴によると、請求項１の場合と同様に前項［Ｉ］に記載の「作用」を備えており、これに加えて以下のような「作用」を備えている。
請求項２の特徴によると、保持部の凹部に弾性を備えて、保持部の凹部による挟み込みにより、苗ステーの上部が保持されるように構成している。
これにより、請求項２の特徴によると、苗ステーの上部が保持部の凹部に挟み込まれるように保持されて、苗ステーの上部が保持部の凹部から抜き出ていき難くなる。
【００１１】
［ＩＩＩ］
請求項３の特徴によると、請求項１又は２の場合と同様に前項［Ｉ］［ＩＩ］に記載の「作用」を備えており、これに加えて以下のような「作用」を備えている。
請求項３の特徴によると、保持部の開口部を苗のせ台の苗のせ面から上方に向くように構成して、苗ステーの上部を保持部の開口部に挿抜する方向を、苗のせ台の苗のせ面と交差する方向に設定しており、苗ステーの上部を保持部の凹部に挿抜する方向を、苗のせ台の苗のせ面に沿った方向に設定している。
【００１２】
これにより、請求項３の特徴によると、保持部の開口部を苗のせ台の苗のせ面から上方に向くように構成して、苗ステーの上部を保持部の開口部に挿入する方向を、苗のせ台の苗のせ面と交差する方向に設定しているので、苗ステーの上部を苗のせ台の上方から下方に移動させることにより、苗ステーの上部を保持部の開口部に容易に挿入することができる。
【００１３】
請求項３の特徴によると、苗ステーの上部を保持部の凹部に挿抜する方向を、苗のせ台の苗のせ面に沿った方向に設定しており、苗のせ台に載置された苗が浮き上がる方向と、苗ステーの上部を保持部の凹部に挿抜する方向とが交差する状態となっている。これにより、請求項３の特徴によると、苗ステーの上部が保持部に保持された状態（苗ステーの上部が保持部の凹部に挿入された状態）で、苗のせ台に載置された苗が浮き上がり苗ステーが持ち上げられようとしても、苗ステーの上部が保持部の凹部から抜き出ていき難い。
【００１４】
［ＩＶ］
請求項４の特徴によると、苗のせ台の苗のせ面に沿った方向に沿う縦長の凸部を、苗のせ台の苗のせ面に複数備えて、苗のせ台の苗のせ面の上端に補助苗のせ台を備え、補助苗のせ台の苗のせ面に沿った方向に沿う縦長の凸部を、補助苗のせ台の苗のせ面に複数備えて、苗が補助苗のせ台の凸部及び苗のせ台の凸部に載って、苗のせ台の下方に移動するように構成しており、補助苗のせ台の凸部における補助苗のせ台の苗のせ面に沿った方向の下端部が、苗のせ台の凸部における苗のせ台の苗のせ面に沿った方向の上端部よりも高い位置に位置するように構成している。
【００１５】
これにより、請求項４の特徴によると、補助苗のせ台の苗のせ面に沿った方向に沿う縦長の凸部を、補助苗のせ台の苗のせ面に複数備えているので、苗と補助苗のせ台の苗のせ面との間の摩擦が少なくなって、苗が補助苗のせ台の凸部に載って苗のせ台に支障なく移動する。
請求項４の特徴によると、苗が補助苗のせ台から苗のせ台に移動する部分において、補助苗のせ台の凸部における補助苗のせ台の苗のせ面に沿った方向の下端部が、苗のせ台の凸部における苗のせ台の苗のせ面に沿った方向の上端部よりも高い位置に位置するように構成しているので、補助苗のせ台の凸部に載った苗が苗のせ台の凸部に移動する際に、苗が苗のせ台の凸部における苗のせ台の苗のせ面に沿った方向の上端部に引っ掛かるような状態が少ない。
【００１６】
［Ｖ］
請求項５の特徴によると、請求項４の場合と同様に前項［ＩＶ］に記載の「作用」を備えており、これに加えて以下のような「作用」を備えている。
請求項５の特徴によると、苗のせ台の複数の凸部において、苗のせ台の凸部における苗のせ台の苗のせ面に沿った方向の上端部の位置を、苗のせ台の苗のせ面に沿った方向で異なるものに設定しており、苗のせ台の全ての凸部が苗のせ台の苗のせ面の上端に達しているのではなく、苗のせ台の苗のせ面の上端に達しない苗のせ台の凸部が存在している。
【００１７】
これにより、請求項５の特徴によると、前項［ＩＶ］に記載のように、補助苗のせ台の凸部に載った苗が苗のせ台の凸部に移動する際に、苗が苗のせ台の全ての凸部に同時に載るのではなく、苗が苗のせ台の一部の凸部に載る状態となるので、苗が苗のせ台の全ての凸部に同時に載る状態に比べて、苗が苗のせ台の凸部に抵抗少なく載る。この後、苗が苗のせ台に移動するのに伴って、苗が苗のせ台の全ての凸部に載る状態となる。
【００１８】
【発明の実施の形態】
［１］
図１に示すように、前輪１及び後輪２で支持された機体の後部に、リンク機構３が上下に揺動自在に支持され、リンク機構３を上下に昇降駆動する油圧シリンダ４が備えられており、リンク機構３の後部に苗植付装置５が支持されて、乗用型田植機が構成されている。機体に備えられた運転座席１６の機体の前部にボンネット２２が備えられ、ボンネット２２の右及び左の横外側に、予備苗のせ台２３が備えられており、予備苗のせ台２３に予備の苗を載置しておく。
【００１９】
次に、苗植付装置５について説明する。
図１に示すように、リンク機構３の後部にフィードケース６が支持され、伝動ケース７が後向きに片持ち状に支持されており、伝動ケース７の上部に苗のせ台８が横方向に往復移動自在に支持されている。フィードケース６から横方向に横送り軸９が延出されて、横送り軸９と苗のせ台８とが連係されており、苗のせ台８（苗のせ面８ａ）（図２参照）にベルト型式の縦送り装置１０が備えられている。伝動ケース７の後部に植付ケース１１が回転自在に支持され、植付ケース１１に一対の植付アーム１２が支持されている。フィードケース６の下部にセンターフロート１３が備えられ、センターフロート１３の右及び左の横外側にサイドフロート１４が備えられており、センターフロート１３の前方に整地ローラー１５が備えられている。
【００２０】
以上の構造により、図１に示すように、横送り軸９が回転駆動されて苗のせ台８が横方向に往復横送り駆動され、植付ケース１１が回転駆動されて、植付アーム１２が苗のせ台８の苗のせ面８ａの下部から苗を取り出して田面に植え付けるのであり、苗のせ台８が往復横送り駆動のストロークエンドに達すると、苗のせ台８の苗のせ面８ａの苗が縦送り機構１０により下方に所定量だけ送られる。
【００２１】
図１に示すように、運転座席１６の後側に肥料を貯留するホッパー１７及び繰り出し部１８が備えられ、運転座席１６の下側にブロア１９が備えられている。センターフロート１３及びサイドフロート１４に作溝器２０が備えられて、繰り出し部１８と作溝器２０とに亘ってホース２１が接続されている。これにより、前述のような苗の植え付けに伴って、ホッパー１７から肥料が所定量ずつ繰り出し部１８によって繰り出され、ブロア１９の送風により肥料がホース２１を通って作溝器２０に供給されるのであり、作溝器２０を介して肥料が田面に供給される。
【００２２】
［２］
次に、苗ステー２４について説明する。
図２及び図３に示すように、苗のせ台８は複数の苗のせ面８ａと壁状の仕切り部８ｂとを備えて構成されており、苗のせ台８の苗のせ面８ａの各々に２組の縦送り装置１０が備えられている。金属製で平板状の保持部２５が苗のせ台８の仕切り部８ｂの下部に５箇所固定されており、複数の凹部２５ａが苗のせ台８の苗のせ面８ａと交差する方向に沿って保持部２５に備えられて、保持部２５の凹部２５ａが苗のせ台８の苗のせ面８ａに沿った方向の上向きに向いている。
【００２３】
図２及び図３に示すように、角柱状の支柱２６が苗のせ台８の仕切り部８ｂの上部に３箇所固定されており、支柱２６に保持部２７が備えられている。１本の棒材の中央及び左右の３箇所にコ字状の折り曲げ部２８ａを備えて支持ロッド２８が構成され、支持ロッド２８が苗のせ台８の全幅に亘っており、支持ロット２８の折り曲げ部２８ａが保持部２７の凹部２７ｂ（図４及び図５参照）に保持されている。１本の直線状で苗のせ台８の全幅に亘る支持ロッド２９が備えられており、支持ロッド２９が保持部２５の凹部２５ａに保持されている。
【００２４】
図２及び図３に示すように、支持ロッド２８，２９に亘って、１２本の苗ステー２４が接続されており、苗のせ台８の一つの苗のせ面８ａに２本の苗ステー２４が備えられ、苗ステー２４が苗のせ台８の苗のせ面８ａに沿って上下方向に配置されて、平面視で縦送り装置１０の上方に１本の苗ステー２４が配置されている。支持ロッド２９に６本の苗ステー３０が固定されており、苗のせ台８の一つの苗のせ面８ａに１本の苗ステー３０が備えられ、苗ステー３０が苗のせ台８の苗のせ面８ａに沿って上下方向の上向きに配置されて、平面視で縦送り装置１０の間に苗ステー３０が配置されている。これにより、苗のせ台８に載置された苗の浮き上がりが、苗ステー２４，３０によって止められる。
【００２５】
図２及び図３に示すように、支持ロッド２９を保持部２５の凹部２５ａから抜き出し、保持部２５の別の凹部２５ａに挿入して保持することにより、苗ステー２４の下部及び苗ステー３０の高さ（苗のせ台８の苗のせ面８ａと苗ステー２４の下部及び苗ステー３０との間隔）を変更することができる。
【００２６】
［３］
次に、保持部２７について説明する。
図４及び図５に示すように、保持部２７は角パイプ状の本体部２７ａ、所定の横幅を備えた凹部２７ｂ、凹部２７ｂの下部から延出された延出部２７ｃ、凹部２７ｂの下部の内面の凸部２７ｄ等を備えて、弾性を備えた合成樹脂により一体的に構成されている。保持部２７の凹部２７ｂの上部と延出部２７ｃとの間に開口部２７ｅが形成されており、保持部２７の本体部２７ａの内部にナット３１が備えられている。
【００２７】
図３及び図４に示すように、保持部２７の本体部２７ａに支柱２６を挿入し、蝶ボルト３２をナット３１にネジ込み、蝶ボルト３２を支柱２６の側面に押し付けることによって、支柱２６に保持部２７を固定する。これにより、支持ロッド２８の折り曲げ部２８ａを保持部２７の凹部２７ｂに保持させた状態で、蝶ボルト３２を緩めて、支柱２６に沿って保持部２７を移動させ、蝶ボルト３２を支柱２６の側面に押し付けることによって、苗ステー２４の上部の高さ（苗のせ台８の苗のせ面８ａと苗ステー２４の上部との間隔）を変更することができる。
【００２８】
図３，４，５に示すように支柱２６に保持部２７が固定された状態において、保持部２７の凹部２７ｂが苗のせ台８の苗のせ面８ａに沿った方向の下向きに向いており、保持部２７の開口部２７ｅが苗のせ台８の苗のせ面８ａから上方に向いている。これによって、支持ロッド２８の折り曲げ部２８ａを苗のせ台８の苗のせ面８ａの上方から下方に移動させることにより、支持ロッド２８の折り曲げ部２８ａを保持部２７の開口部２７ｅに挿入する（支持ロッド２８の折り曲げ部２８ａ（苗ステー２４の上部）を保持部２７の開口部２７ｅに挿抜する方向Ａ１が、苗のせ台８の苗のせ面８ａと交差する状態）。
【００２９】
次に図３，４，５に示すように、支持ロッド２８の折り曲げ部２８ａを保持部２７の開口部２７ｅに挿入した後、支持ロッド２８の折り曲げ部２８ａを苗のせ台８の苗のせ面８ａに沿った方向の上方に移動させることにより、支持ロッド２８の折り曲げ部２８ａを保持部２７の凹部２７ｂに挿入する（支持ロッド２８の折り曲げ部２８ａ（苗ステー２４の上部）を保持部２７の凹部２７ｂに挿抜する方向Ａ２が、苗のせ台８の苗のせ面８ａに沿った方向である状態）（支持ロッド２８の折り曲げ部２８ａ（苗ステー２４の上部）を保持部２７の開口部２７ｅに挿抜する方向Ａ１と、支持ロッド２８の折り曲げ部２８ａ（苗ステー２４の上部）を保持部２７の凹部２７ｂに挿抜する方向Ａ２とが、交差する状態）。
【００３０】
この場合、図４及び図５に示すように、支持ロッド２８の折り曲げ部２８ａにより保持部２７の凸部２７ｄを弾性的に押し下げるようにして、支持ロッド２８の折り曲げ部２８ａを保持部２７の凹部２７ｂに挿入する。これにより、保持部２７の凹部２７ｂ及び凸部２７ｄによる弾性的な挟み込みによって、支持ロッド２８の折り曲げ部２８ａが保持部２７に保持される。
【００３１】
図３，４，５に示すように、支持ロッド２８の折り曲げ部２８ａを苗のせ台８の苗のせ面８ａに沿った方向の下方に移動させることにより、支持ロッド２８の折り曲げ部２８ａを保持部２７の凹部２７ｂから抜き出す（支持ロッド２８の折り曲げ部２８ａ（苗ステー２４の上部）を保持部２７の凹部２７ｂに挿抜する方向Ａ２が、苗のせ台８の苗のせ面８ａに沿った方向である状態）。この後に支持ロッド２８の折り曲げ部２８ａを苗のせ面８ａの上方に移動させることにより、支持ロッド２８の折り曲げ部２８ａを保持部２７の開口部２７ｅから抜き出す（支持ロッド２８の折り曲げ部２８ａ（苗ステー２４の上部）を保持部２７の開口部２７ｅに挿抜する方向Ａ１が、苗のせ台８の苗のせ面８ａと交差する状態）（支持ロッド２８の折り曲げ部２８ａ（苗ステー２４の上部）を保持部２７の開口部２７ｅに挿抜する方向Ａ１と、支持ロッド２８の折り曲げ部２８ａ（苗ステー２４の上部）を保持部２７の凹部２７ｂに挿抜する方向Ａ２とが、交差する状態）。
【００３２】
［４］
次に、苗のせ台８の苗のせ面８ａの上端に備えられる補助苗のせ台３３について説明する。
図６及び図７に示すように、苗のせ台８の苗のせ面８ａの各々において、苗のせ台８の苗のせ面８ａに沿った方向に沿う縦長の凹部８ｃが、苗のせ台８の苗のせ面８ａに７個備えられており、苗のせ台８の苗のせ面８ａに沿った方向に沿う縦長のリブ状の第１凸部８ｄが５個備えられ、苗のせ台８の苗のせ面８ａに沿った方向に沿う縦長のリブ状の第２凸部８ｆが６個備えられている。苗のせ台８の苗のせ面８ａの上端に、開口部８ｈが備えられている。
【００３３】
図６及び図８に示すように、苗のせ台８の第１凸部８ｄにおける苗のせ台８の苗のせ面８ａに沿った方向の上端部８ｅ、及び苗のせ台８の第２凸部８ｆにおける苗のせ台８の苗のせ面８ａに沿った方向の上端部８ｇが、苗のせ台８の苗のせ面８ａの上端に接近するほど低くなる傾斜部に形成されている。苗のせ台８の第２凸部８ｆの上端部８ｇよりも、苗のせ台８の第１凸部８ｄの上端部８ｅが苗のせ台８の苗のせ面８ａの上端に近い位置に位置している（苗のせ台８の第１及び第２凸部８ｄ，８ｆの上端部８ｅ，８ｇの位置が、苗のせ台８の苗のせ面８ａに沿った方向で異なるものになっている状態）。
【００３４】
図６及び図８に示すように、補助苗のせ台３３は、断面が円弧状の上端部３３ａ、上端部３３ａから片持ち状に延出された苗のせ面３３ｂ，３３ｃ、苗のせ面３３ｂの開口部３３ｄを備えて、一体的に構成されている。補助苗のせ台３３の苗のせ面３３ｂに沿った方向に沿う縦長のリブ状の凸部３３ｅが、苗のせ面３３ｂに６個備えられており、補助苗のせ台３３の凸部３３ｅにおける補助苗のせ台３３の苗のせ面３３ｂに沿った方向の上端部３３ｆが、補助苗のせ台３３の上端部３３ａに接近するほど低くなる傾斜部に形成され、補助苗のせ台３３の凸部３３ｅにおける補助苗のせ台３３の苗のせ面３３ｂに沿った方向の下端部３３ｇが直角状に形成されている。
【００３５】
図６及び図８に示すように、補助苗のせ台３３の苗のせ面３３ｂ，３３ｃを苗のせ台８の開口部８ｈに挿入することにより（補助苗のせ台３３の凸部３３ｅの下端部３３ｇが苗のせ台８の苗のせ面８ａの上端に接当するまで挿入する）、補助苗のせ台３３を苗のせ台８の苗のせ面８ａの上端に取り付ける。
【００３６】
図６及び図８に示すように、補助苗のせ台３３を苗のせ台８の苗のせ面８ａの上端に取り付けた状態において、補助苗のせ台３３の凸部３３ｅの下端部３３ｇが、苗のせ台８の第１及び第２凸部８ｄ，８ｆの上端部８ｅ，８ｇよりも高い位置に位置している（苗のせ台８の第１及び第２凸部８ｄ，８ｆの上端部８ｅ，８ｇが傾斜部であることによる）。補助苗のせ台３３を苗のせ台８の苗のせ面８ａの上端に取り付けた状態において、補助苗のせ台３３の凸部３３ｅと苗のせ台８の第２凸部８ｆとが略一直線に並ぶ状態となっている。
【００３７】
［発明の実施の別形態］
前述の［発明の実施の形態］の図３，４，５において、支持ロッド２８の折り曲げ部２８ａを保持部２７の開口部２７ｅに挿入した後、支持ロッド２８の折り曲げ部２８ａを苗のせ台８の苗のせ面８ａに沿った方向の上方に移動させるのではなく、支持ロッド２８の折り曲げ部２８ａを苗のせ台８の苗のせ面８ａに沿った方向の下方に移動させることにより、支持ロッド２８の折り曲げ部２８ａが保持部２７の凹部２７ｂに挿入されるように、保持部２７の凹部２７ｂを構成してもよい。
【００３８】
前述の［発明の実施の形態］の図６及び図８において、補助苗のせ台３３の凸部３３ｅの下端部３３ｇが、苗のせ台８の第１及び第２凸部８ｄ，８ｆの上端部８ｅ，８ｇよりも高い位置に位置しているばかりではなく、補助苗のせ台３３の凸部３３ｅの全体が、苗のせ台８の第１及び第２凸部８ｄ，８ｆよりも高い位置に位置しているように構成してもよい。
【００３９】
【発明の効果】
請求項１の特徴によると、苗植付装置の苗のせ台構造において、苗ステーの上部を保持部の凹部に保持させる場合、苗ステーの上部が保持部の凹部から抜き出たとしても、次に苗ステーの上部が保持部の凹部から抜き出た方向と交差する方向に移動しないと、苗ステーの上部が保持部の開口部から抜き出ることができないように構成することにより、苗ステーの上部が保持部から外れ難いようにすることができて、苗ステーの上部の保持の確実性を向上させることができた。
【００４０】
請求項２の特徴によると、請求項１の場合と同様に前述の請求項１の「発明の効果」を備えており、この「発明の効果」に加えて以下のような「発明の効果」を備えている。
請求項２の特徴によると、苗ステーの上部が保持部の凹部に挟み込まれるように保持され、苗ステーの上部が保持部の凹部から抜き出ていき難くすることができて、苗ステーの上部の保持の確実性を向上させることができた。
【００４１】
請求項３の特徴によると、請求項１又は２の場合と同様に前述の請求項１又は２の「発明の効果」を備えており、この「発明の効果」に加えて以下のような「発明の効果」を備えている。
請求項３の特徴によると、苗ステーの上部を苗のせ台の上方から下方に移動させることにより、苗ステーの上部を保持部の開口部に容易に挿入することができるようになって、苗ステーの上部の取付性を向上させることができた。
請求項３の特徴によると、苗ステーの上部が保持部に保持された状態（苗ステーの上部が保持部の凹部に挿入された状態）で、苗のせ台に載置された苗が浮き上がり苗ステーが持ち上げられようとしても、苗ステーの上部が保持部の凹部から抜き出ていき難くすることができて、苗ステーの上部の保持の確実性を向上させることができた。
【００４２】
請求項４の特徴によると、苗植付装置の苗のせ台構造において、苗のせ台の苗のせ面の上端に補助苗のせ台を備えた場合、苗が補助苗のせ台の凸部に載って苗のせ台に支障なく移動する点、並びに、補助苗のせ台の凸部に載った苗が苗のせ台の凸部に移動する際に、苗が苗のせ台の凸部における苗のせ台の苗のせ面に沿った方向の上端部に引っ掛かるような状態が少ない点によって、補助苗のせ台に載置された苗が苗のせ台に支障なく移動するように構成することができて、苗植付装置の植付性能を向上させることができた。
【００４３】
請求項５の特徴によると、請求項４の場合と同様に前述の請求項４の「発明の効果」を備えており、この「発明の効果」に加えて以下のような「発明の効果」を備えている。
請求項５の特徴によると、補助苗のせ台の凸部に載った苗が苗のせ台の凸部に移動する際に、苗が苗のせ台の全ての凸部に同時に載る状態に比べて、苗が苗のせ台の凸部に抵抗少なく載ることができるようになり、補助苗のせ台に載置された苗が苗のせ台に支障なく移動するように構成することができて、苗植付装置の植付性能を向上させることができた。
【図面の簡単な説明】
【図１】乗用型田植機の全体側面図
【図２】苗のせ台及び苗ステーの背面図
【図３】苗のせ台及び苗ステーの側面図
【図４】保持部の縦断側面図
【図５】保持部の全体斜視図
【図６】苗のせ台の苗のせ面の上端及び補助苗のせ台の背面図
【図７】苗のせ台の苗のせ面の横断平面図
【図８】苗のせ台の苗のせ面の上端及び補助苗のせ台の縦断側面図
【符号の説明】
８          苗のせ台
８ａ        苗のせ台の苗のせ面
８ｄ，８ｆ  苗のせ台の凸部
８ｅ，８ｇ  苗のせ台の凸部の上端部
２４        苗ステー
２７        保持部
２７ｂ      保持部の凹部
２７ｅ      保持部の開口部
２８ａ      苗ステーの上部
３３        補助苗のせ台
３３ｂ      補助苗のせ台の苗のせ面
３３ｅ      補助苗のせ台の凸部
３３ｇ      補助苗のせ台の凸部の下端部
Ａ１        苗ステーの上部を保持部の開口部に挿抜する方向
Ａ２        苗ステーの上部を保持部の凹部に挿抜する方向
【図１】
2004275030.tif 000003
【図２】
2004275030.tif 000004
【図３】
2004275030.tif 000005
【図４】
2004275030.tif 000006
【図５】
2004275030.tif 000007
【図６】
2004275030.tif 000008
【図７】
2004275030.tif 000009
【図８】
2004275030.tif 000010